(57)【要約】【課題】気密性に優れながらも、商品を容易に取り出すことのできるブリスターパックを提供する。【解決手段】化粧料容器２を収容する収容凹部１２を有するブリスターケース４と、上記収容凹部１２に対向する状態で上記ブリスターケース４の背部に配設され上記ブリスターケース４の一側から他側に向かってスライドさせる台紙３とを備えている。そして、上記ブリスターケース４の背面に上記収容凹部１２の開口部を覆うようにしてフィルム５を剥離可能に貼着し、このフィルム５の一側端部と台紙３の一側端部とを連結し、上記台紙３を一側から他側に向かってスライドさせることにより上記フィルム５の一側端部を他側に引っ張って上記ブリスターケース４の背面から剥離させるように構成している。【選択図】図１３
2006168760.tif 000002
【特許請求の範囲】
【請求項１】
商品を収容する収容凹部を有するブリスターケースと、上記収容凹部に対向する状態で上記ブリスターケースの背部に配設され上記ブリスターケースの一側から他側に向かってスライドさせる台紙とを備え、上記ブリスターケースの背面に上記収容凹部の開口部を覆うようにしてシート材を剥離可能に貼着し、このシート材の一側端部と台紙の一側端部とを連結し、上記台紙を一側から他側に向かってスライドさせることにより上記シート材の一側端部を他側に引っ張って上記ブリスターケースの背面から剥離させるように構成したことを特徴とするブリスターパック。
【請求項２】
上記ブリスターケースに、その一側から他側に向かって延びる一対のガイド部が相対向状に形成され、これら両ガイド部に台紙がスライド自在に保持されている請求項１記載のブリスターパック。
【請求項３】
上記ブリスターケースの背面に、収容凹部の開口部の全体を覆うようにしてシート材を剥離可能に貼着している請求項１または２記載のブリスターパック。
【請求項４】
上記台紙の他側端部に、指を挿入しうる吊り下げ用穴部が穿設されている請求項１〜３のいずれか一項に記載のブリスターパック。
【請求項５】
上記台紙の吊り下げ用穴部に対応する上記ブリスターケースの部分に吊り下げ用穴部が穿設されている請求項４記載のブリスターパック。
【発明の詳細な説明】
【技術分野】
【０００１】
本発明は、食品，化粧品，日用品等の各種商品（液体や粉体等でもよい）を包装するのに用いられるブリスターパックに関するものである。
【背景技術】
【０００２】
従来から、ブリスターパックとして、図２７に示すようなブリスターケースが提案されている。このブリスターケースは、歯ブラシ２１用のブリスターケースであり、歯ブラシ２１を収容するための収容突部２２ａを有するブリスタードーム２２と、このブリスタードーム２２の開口部を閉鎖する略平板状のブリスター台紙２３とから構成されており、上記ブリスタードーム２２がブリスター台紙２３の正面部に形成されたホットメルト接着剤層（図示せず）に熱融着されて固定されている（特許文献１参照）。
【特許文献１】特開平８−１９２８７０号公報
【発明の開示】
【発明が解決しようとする課題】
【０００３】
しかしながら、上記のブリスターケースでは、ブリスター台紙２３の正面部にホットメルト接着剤層を介して熱融着されたブリスタードーム２２から、ブリスター台紙２３を引き剥がすときに、ブリスタードーム２２，ブリスター台紙２３の双方が撓みやすいため、ブリスタードーム２２に沿ってブリスター台紙２３を引っ張ってブリスタードーム２２から剥がすことが難しく、歯ブラシ２１を容易に取り出すことができないという問題がある。
【０００４】
本発明は、このような事情に鑑みなされたもので、気密性に優れながらも、商品を容易に取り出すことのできるブリスターパックの提供をその目的とする。
【課題を解決するための手段】
【０００５】
上記の目的を達成するため、本発明のブリスターパックは、商品を収容する収容凹部を有するブリスターケースと、上記収容凹部に対向する状態で上記ブリスターケースの背部に配設され上記ブリスターケースの一側から他側に向かってスライドさせる台紙とを備え、上記ブリスターケースの背面に上記収容凹部の開口部を覆うようにしてシート材を剥離可能に貼着し、このシート材の一側端部と台紙の一側端部とを連結し、上記台紙を一側から他側に向かってスライドさせることにより上記シート材の一側端部を他側に引っ張って上記ブリスターケースの背面から剥離させるように構成したという構成をとる。
【発明の効果】
【０００６】
すなわち、本発明のブリスターパックは、商品を収容する収容凹部を有するブリスターケースの背面に、上記収容凹部を覆うようにしてシート材を剥離可能に貼着し、このシート材の一側端部と、（上記収容凹部に対向する状態で上記ブリスターケースの背部に配設され上記ブリスターケースの一側から他側に向かってスライドさせる）台紙の一側端部とを連結し、上記台紙を一側から他側に向かってスライドさせることにより、上記シート材の一側端部を他側に引っ張って上記ブリスターケースの背面から剥離させるようにしている。このように、本発明のブリスターパックでは、台紙の他側端部を手指で引っ張る等して台紙をブリスターケースの一側から他側に向かってスライドさせることにより、シート材の一側端部をブリスターケースの他側に引っ張っているため、幅広の（例えば、ブリスターケースと同程度の横幅を有する）台紙でシート材をブリスターケースの背面に沿って略一直線状に引っ張ることができ、しかも、スライドしながらもブリスターケースの背部にある台紙で、ブリスターケースの撓みを防ぐこともでき、シート材をブリスターケースから容易に剥離させることができ、その結果、商品を容易に取り出すことができる。
【０００７】
また、上記ブリスターケースに、その一側から他側に向かって延びる一対のガイド部が相対向状に形成され、これら両ガイド部に台紙がスライド自在に保持されていると、ブリスターケースの背面に貼着されたシート材を、このシート材の背部に配設された台紙で保護することができ、この台紙でシート材がブリスターケースから剥がれ落ちたり、他物に当たって破損したりするのを防ぐことができる。しかも、台紙をブリスターケースの背面に沿ってスライドさせやすくなり、その分シート材をブリスターケースの背面に沿って他側にスムーズに引っ張ることができ、シート材をブリスターケースの背面からさらに簡単に剥離させることができる。
【０００８】
また、上記ブリスターケースの背面に、収容凹部の開口部の全体を覆うようにしてシート材を剥離可能に貼着していると、上記収容凹部の開口部の全体をシート材で閉塞して完全に気密性にすることができ、上記収容凹部に液体化粧料等の液体や粉末化粧料等の粉体を収容することもできる。このように、気密性に優れるうえ、上記したように、簡単に開封することができる。
【０００９】
また、上記台紙の他側端部に、指を挿入しうる吊り下げ用穴部が穿設されていると、吊り下げ用穴部を利用し、これに指を挿入して台紙を引っ張ることができ、非常に便利である。しかも、吊り下げ用穴部を利用し、本発明のブリスターパックを吊り下げて使用した場合にも、台紙にシート材を介してブリスターケースが連結されており、商品の重さでブリスターケースが落下することがない。
【００１０】
また、上記台紙の吊り下げ用穴部に対応する上記ブリスターケースの部分に吊り下げ用穴部が穿設されていると、本発明のブリスターパックを吊り下げ用フック等の吊り下げ手段に吊り下げた状態では、この吊り下げ手段が上記両穴部に挿通されているため、台紙を手指で引っ張る等してブリスターケースから剥離させることができない。
【発明を実施するための最良の形態】
【００１１】
つぎに、本発明の実施の形態を図面にもとづいて詳しく説明する。
【００１２】
図１〜図３は本発明のブリスターパックの一実施の形態を示している。これらの図において、１は化粧料（図示せず）が充填されたレフィル容器等の化粧料容器（商品）２を収納して吊り下げ展示するためのスライド式ブリスターパックであり、平板状厚紙製の台紙３と、透明プラスティック製のブリスターケース４と、上記台紙３の一側端部（この実施の形態では、左端縁部）に一体的に連結されたプラスティック製のフィルム（シート材）５とで構成されている。
【００１３】
上記台紙３は、略長方形状に形成された平板状厚紙で構成されており、その他側端部（この実施の形態では、右端部）に、指先挿入用穴部を兼用する吊り下げ用穴部３ａが穿設されている（図１および図２参照）。また、上記台紙３には、その左端縁部に、上記フィルム５の一側端部（この実施の形態では、左端縁部）の全面がホットメルト接着剤層等の接着剤層（図示せず）により接着，固定されている（図２参照）。
【００１４】
上記ブリスターケース４は、図４〜図６に示すように、上記台紙３に対し、その一側から他側にかつ他側から一側に（この実施の形態では、左右方向に）スライド自在に装着されるものであり、平板部１１と、この平板部１１から表面側に一体的に突出形成された収容凹部１２（この収容凹部１２に、化粧料容器２が収容される）と、上記平板部１１の前後両側部１１ａ（図７〜図１０参照）を裏面側に折り曲げることにより上記平板部１１の左右両側に溝状隙間として形成された前後一対のスライド用係合部（ガイド部）１３とが形成されている。そして、これら両スライド用係合部１３に台紙３の前後両側縁部が左右方向にスライド自在に係合している。また、上記ブリスターケース４には、その右端部中央にＵ字状の切欠き凹部１４が切欠き形成されている。このようなブリスターケース４は、例えば、透明なＰＶＣ（塩化ビニル樹脂）を用い、真空成形もしくは圧空成形により作製されたものである。
【００１５】
上記フィルム５は、略長方形状に形成されたプラスティック製シート材（例えば、ＰＥＴ製フィルム等の合成樹脂製フィルム）で構成されている。なお、上記フィルム５のガスバリア性を向上させるため、上記フィルム５として、上記シート材の表裏両面の全面にアルミ箔等の金属箔を蒸着したものを使用することもできる。そして、上記フィルム５が、ブリスターケース４の収容凹部１２の下端面開口部の全体を覆う状態で、ブリスターケース４の裏面の上記下端面開口部の外周部にヒートシール等により剥離自在に貼着，固定されている。また、上記フィルム５（の平板部１１）の左端縁部の表面が台紙３の左端縁部の裏面に上記接着剤層により接着されて連結されており、これにより、裏からフィルム５が見えないため、見栄えがよいうえ、上記接着剤層を構成する接着剤をフィルム５の表面に１回塗布するだけで、ブリスターケース４に接着する接着剤層と、台紙３に接着する接着剤層との双方を形成することができ、製造工程数が減少し、製造が容易になる。
【００１６】
上記の構成において、ブリスターパック１を作製する場合には、まず、ブリスターケース４の収容凹部１２に化粧料容器２を収容し（図７および図８参照）、ついで、フィルム５およびこれに連結する台紙３を左右方向に向け、フィルム５で上記収容凹部１２の下端面開口部の全体を覆うようにして、ブリスターケース４の裏面の上記下端面開口部の外周部にフィルム５をヒートシール等により剥離自在に貼着，固定し（図９参照）、つぎに、台紙３がブリスターケース４，フィルム５の裏面側に重り合うようにフィルム５を折り返し、フィルム５の折り返し部分がブリスターケース４の左端面に略面一となり、台紙３の右端面がブリスターケース４の右端面に略面一となるようにする（図１０参照）。そののち、上記ブリスターケース４の前後両側部１１ａを加熱しながら折り返し、この折り返しにより前後一対のスライド用係合部１３を形成し、これら両スライド用係合部１３に台紙３の前後両側縁部がスライド自在に係合するようにする（図１１参照）。これにより、上記ブリスターパック１を作製することができる。
【００１７】
このようにして作製したブリスターパック１を、その吊り下げ用穴部３ａを利用し、店内の壁面等に設けたフック等（図示せず）に吊り下げて展示することができる。この吊り下げ状態では、台紙３とブリスターケース４とはフィルム５を介して連結されており、化粧料容器２の重みによってもブリスターケース４がスライドして台紙３から落下することはない。また、ブリスターパック１を開封して化粧料容器２を取り出す場合には、上記フック等からブリスターパック１を取り外したのち、ブリスターケース４を一方の手で持ちながら、台紙３の吊り下げ用穴部３ａに他方の指先を挿入して台紙３をブリスターケース４の一側から他側に向かって（この実施の形態では、右側方向に）引っ張ることを行う（図１２および図１３参照）。これにより、台紙３に引っ張られてフィルム５が右側方向に引っ張られるとともに、これに伴ってブリスターケース４の裏面から剥がれ、そのまま台紙３を右側方向に引っ張り続けると、ブリスターケース４の裏面の（収容凹部１２の）下端面開口部の外周部からフィルム５が剥がれて上記下端面開口部が開口し、化粧料容器２を外部に取り出すことができる（図１４および図１５参照）。
【００１８】
このように、上記実施の形態では、前後一対のスライド用係合部１３で保持された幅広の台紙３を引っ張ってスライドさせることで、フィルム５を引っ張っているため、このフィルム５をブリスターケース４の裏面に沿って略一直線状に引っ張ることができ、しかも、スライドしながらもブリスターケース４の背部にある台紙３で、ブリスターケース４の撓みを防ぐこともでき、フィルム５をブリスターケース４から容易に剥離させることができる。しかも、上記フィルム５を台紙３で保護することができ、フィルム５がブリスターケース４から剥がれ落ちたり、他物に当たって破損したりするのを防ぐことができる。しかも、台紙３をブリスターケース４の裏面に沿ってスライドさせやすくなり、これにより、フィルム５をブリスターケース４の裏面に沿ってスムーズに引っ張ることができ、フィルム５をブリスターケース４の裏面からさらに簡単に剥離させることができる。
【００１９】
図１６〜図１８は本発明のブリスターパックの他の実施の形態を示している。この実施の形態では、上記実施の形態において、上記ブリスターケース４の平板部１１の右端部中央部分に、右端面が開口する隙間形成用凹部１６が表面側に突出形成されており、この隙間形成用凹部１６の上面平板部１６ａに、吊り下げ用フック等の吊り下げ手段を挿通しうる吊り下げ用穴部１６ｂが穿設されている。また、上記隙間形成用凹部１６に対応する上記台紙３の部分に、上記吊り下げ用穴部１６ｂより大径に形成された（指先挿入用穴部を兼する）吊り下げ用穴部３ａが穿設されている。このようなブリスターパック１を開封して化粧料容器２を取り出す場合には、上記吊り下げ手段からブリスターパック１を取り外したのち、上記実施の形態と同様にして、台紙３を手指等で引っ張ることを行う。なお、上記ブリスターケース４には切欠き凹部１４が切欠き形成されていない。それ以外の部分は上記実施の形態と同様であり、同様の部分には同じ符号を付している。
【００２０】
この実施の形態でも、上記実施の形態と同様の作用・効果を奏する。しかも、本発明のブリスターパックを吊り下げ手段に吊り下げた状態では、吊り下げ手段が上記両穴部３ａ，１６ｂに挿通されているため、台紙３を手指等で引っ張ってブリスターケース４から剥離させることができない。しかも、上記台紙３の吊り下げ用穴部３ａに手指を挿入したときに、上記ブリスターケース４の隙間形成用凹部１６の内部に、指先を挿入しうる隙間があるため、指先を吊り下げ用穴部３ａに押し込んで隙間形成用凹部１６内に突入させることができ、台紙３を容易に引っ張ることができる。
【００２１】
図１９は本発明のブリスターパックのさらに他の実施の形態を示している。この実施の形態では、図１〜図１５に示す実施の形態において、上記ブリスターケース４の平板部１１の右端部中央部分に、吊り下げ手段を挿通しうる穴部４ａが穿設されており、この穴部４ａに対応する上記台紙３の部分に吊り下げ用穴部３ａ（この吊り下げ用穴部３ａは指先挿入用穴部を兼用していない）が穿設されている。また、上記台紙３には、その右端縁中央部分から右方に向かって突片１７が突出形成されており（図２０参照）、この突片１７を裏側に折り返して台紙３の裏面に当接させた状態で、上記吊り下げ用穴部３ａに対応する部分に、この吊り下げ用穴部３ａより大径に形成された（吊り下げ用穴部を兼用する）指先挿入用穴部１７ａが穿設されている。このようなブリスターパック１を開封して化粧料容器２を取り出す場合には、上記吊り下げ手段からブリスターパック１を取り外したのち、上記突片１７を表面側に折り返し（図２０参照）、その指先挿入用穴部１７ａに指先を挿入して台紙３を引っ張ることを行う（図２１参照）。なお、上記ブリスターケース４には切欠き凹部１４が切欠き形成されていない。それ以外の部分は、図１〜図１５に示す実施の形態と同様であり、同様の部分には同じ符号を付している。
【００２２】
この実施の形態でも、図１〜図１５に示す実施の形態と同様の作用・効果を奏する。しかも、本発明のブリスターパックを吊り下げた状態では、吊り下げ手段が上記各穴部４ａ，３ａ，１７ａに挿通されているため、台紙３を手指等で引っ張ってブリスターケース４から剥離させることができない。
【００２３】
図２２は本発明のブリスターパックのさらに他の実施の形態を示している。この実施の形態では、図１〜図１５に示す実施の形態において、上記ブリスターケース４の平板部１１の右端部上下両側部分に上下一対の押さえ用突片４ｂが突出形成されており、裏面側に折り返して台紙３の右端面に当接させた状態で、この台紙３の右端面を抜け出し防止状に押さえるようにしている（図２３参照）。このようなブリスターパック１を開封して化粧料容器２を取り出す場合には、上記吊り下げ手段からブリスターパック１を取り外したのち、上記両押さえ用突片４ｂに当たらないように、台紙３を少し奥側に折り曲げるようにして引っ張ることを行う。それ以外の部分は、図１〜図１５に示す実施の形態と同様であり、同様の部分には同じ符号を付している。
【００２４】
この実施の形態でも、図１〜図１５に示す実施の形態と同様の作用・効果を奏する。しかも、上記両押さえ用突片４ｂにより台紙３の抜け出しを防止することができる。
【００２５】
図２４は本発明のブリスターパックのさらに他の実施の形態を示している。この実施の形態では、図１〜図１５に示す実施の形態において、上記ブリスターケース４の平板部１１の左端部中央部分に吊り下げ用穴部１８が穿設されているとともに、この吊り下げ用穴部１８に対応する上記フィルム５および台紙３の部分にそれぞれ吊り下げ用穴部（図示せず）が穿設されている。これら吊り下げ用穴部１８は、ブリスターパック１の作製後に穿設してもよいし、ブリスターケース４，フィルム５および台紙３の作製時に予め穿設しておいてもよい。この実施の形態では、上記台紙３の右端部中央部分に形成された吊り下げ用穴部３ｂは、指先挿入用穴部として利用されており、吊り下げ用穴部としては利用されていない。このようなブリスターパック１を開封して化粧料容器２を取り出す場合には、上記吊り下げ手段からブリスターパック１を取り外したのち、図１〜図１５に示す実施の形態と同様にして、台紙３を手指等で引っ張ることを行う。それ以外の部分は、図１〜図１５に示す実施の形態と同様であり、同様の部分には同じ符号を付している。
【００２６】
この実施の形態でも、図１〜図１５に示す実施の形態と同様の作用・効果を奏する。しかも、本発明のブリスターパックを吊り下げた状態では、上記吊り下げ手段が上記各穴部１８に挿通されているため、台紙３を手指等で引っ張ってブリスターケース４から剥離させることができない。
【００２７】
図２５は本発明のブリスターパックのさらに他の実施の形態を示している。この実施の形態では、図１〜図１５に示す実施の形態において、上記ブリスターケース４の平板部１１の右端部上下両側部分に上下一対の凸部１９が裏面側に突出形成されており、これら両凸部１９に対応する上記台紙３の部分に、上記各凸部１９を挿通しうる上下一対の穴部１９ａが穿設されている（図２６参照）。このようなブリスターパック１を開封して化粧料容器２を取り出す場合には、上記両凸部１９に当たらないように、両凸部１９を少し手前側に押すとともに、台紙３を少し奥側に折り曲げるようにしたのち、図１〜図１５に示す実施の形態と同様にして、台紙３を手指等で引っ張ることを行う。それ以外の部分は、図１〜図１５に示す実施の形態と同様であり、同様の部分には同じ符号を付している。
【００２８】
この実施の形態でも、図１〜図１５に示す実施の形態と同様の作用・効果を奏する。しかも、上記両凸部１９によりブリスターパック１から台紙３が抜け出すのを防止することができる。
【００２９】
なお、上記各実施の形態では、ブリスターケース４の材質をＰＶＣ（塩化ビニル樹脂）としたが、これに限定されるものではなく、Ａ−ＰＥＴ（ポリエチレンテレフタレート），ＰＰ（ポリプロピレン），ＰＳ（ポリスチレン）等の他のプラスチックの材質でもよいし、プラスチック以外の材質でもよい。また、台紙１を厚紙製としたが、これに限定されるものではなく、プラスチック等の他の材質でもよい。
【００３０】
また、商品として、化粧料容器２を用いているが、食品，日用品等の各種商品を用いてもよいし、ブリスターケース４の収容凹部１２の下端面開口部の全体をフィルム５で塞いでいるため、上記収容凹部１２に液体化粧料等の液体や粉末化粧料等の粉体を用いることもできる。また、商品として、食品，日用品等の固形物を用いる場合には、商品が収容凹部１２から落ちないのであれば、フィルム５で上記収容凹部１２の下端面開口部の全体を覆う必要はなく、一部だけを覆うようにしてもよい。
【００３１】
また、ブリスターケース４の平板部１１の前後両側部１１ａを裏面側に折り曲げることにより両スライド用係合部１３を形成しているが、２つのスライド用係合部１３をブリスターケース４とは別体に作製し、これらをブリスターケース４の平板部１１の裏面に接着等で固定してもよい。また、台紙３とフィルム５とは別体に作製し、これらを接着して一体化しているが、両者を型成形等により一体成形してもよい。また、台紙３とブリスターケース４とフィルム５とを型成形等により一体成形することも考えられる。また、図１６〜図１８に示す実施の形態では、ブリスターケース４の平板部１１に突出形成された隙間形成用凹部１６が断面形状略コ字状に折り曲げ形成されているが、断面形状がなだらかに湾曲する湾曲状に形成されていてもよい。
【図面の簡単な説明】
【００３２】
【図１】本発明のブリスターパックの一実施の形態を示す平面図である。
【図２】上記ブリスターパックの断面図である。
【図３】上記ブリスターパックの要部の断面図である。
【図４】台紙の平面図である。
【図５】上記台紙の断面図である。
【図６】上記台紙の要部の断面図である。
【図７】上記ブリスターパックの作製方法を示す斜視図である。
【図８】上記ブリスターパックの作製方法を示す斜視図である。
【図９】上記ブリスターパックの作製方法を示す斜視図である。
【図１０】上記ブリスターパックの作製方法を示す斜視図である。
【図１１】上記ブリスターパックの作製方法を示す斜視図である。
【図１２】上記ブリスターパックの開封方法を示す斜視図である。
【図１３】上記ブリスターパックの開封方法を示す断面図である。
【図１４】上記ブリスターパックの開封方法を示す斜視図である。
【図１５】上記ブリスターパックの開封方法を示す断面図である。
【図１６】本発明のブリスターパックの他の実施の形態を示す斜視図である。
【図１７】上記ブリスターパックの平面図である。
【図１８】上記ブリスターパックの断面図である。
【図１９】本発明のブリスターパックのさらに他の実施の形態を示す斜視図である。
【図２０】上記ブリスターパックの開封方法を示す斜視図である。
【図２１】上記ブリスターパックの開封方法を示す斜視図である。
【図２２】本発明のブリスターパックのさらに他の実施の形態を示す斜視図である。
【図２３】上記ブリスターパックの要部の断面図である。
【図２４】本発明のブリスターパックのさらに他の実施の形態を示す斜視図である。
【図２５】本発明のブリスターパックのさらに他の実施の形態を示す斜視図である。
【図２６】上記ブリスターパックの要部の断面図である。
【図２７】従来例を示す斜視図である。
【符号の説明】
【００３３】
２  化粧料容器
３  台紙
４  ブリスターケース
５  フィルム
１２  収容凹部
【図１】
2006168760.tif 000003
【図２】
2006168760.tif 000004
【図３】
2006168760.tif 000005
【図４】
2006168760.tif 000006
【図５】
2006168760.tif 000007
【図６】
2006168760.tif 000008
【図７】
2006168760.tif 000009
【図８】
2006168760.tif 000010
【図９】
2006168760.tif 000011
【図１０】
2006168760.tif 000012
【図１１】
2006168760.tif 000013
【図１２】
2006168760.tif 000014
【図１３】
2006168760.tif 000015
【図１４】
2006168760.tif 000016
【図１５】
2006168760.tif 000017
【図１６】
2006168760.tif 000018
【図１７】
2006168760.tif 000019
【図１８】
2006168760.tif 000020
【図１９】
2006168760.tif 000021
【図２０】
2006168760.tif 000022
【図２１】
2006168760.tif 000023
【図２２】
2006168760.tif 000024
【図２３】
2006168760.tif 000025
【図２４】
2006168760.tif 000026
【図２５】
2006168760.tif 000027
【図２６】
2006168760.tif 000028
【図２７】
2006168760.tif 000029